(57)【要約】      （修正有）【課題】パーティションの表面を容易に清潔な状態にすることができるパーティションユニットを提供する。【解決手段】複数の使用者の間を空間的に仕切るパーティションユニット１であり、ラップフィルムがロール状に巻かれているラップフィルムロール１５を保持するラップフィルムロール保持部３と、ラップフィルムロールから引き出されたラップフィルムの一端を着脱可能に保持する一端保持部５と、ラップフィルムロール保持部と一端保持部との間のラップフィルムからなる仕切シート部７とを備える。【選択図】図１
0003233750.tif 000002
【実用新案登録請求の範囲】
【請求項１】
複数の使用者の間を空間的に仕切るパーティションユニットであり、
ラップフィルムがロール状に巻かれているラップフィルムロールを保持するラップフィルムロール保持部と、
前記ラップフィルムロールから引き出された前記ラップフィルムの一端を着脱可能に保持する一端保持部と、
前記ラップフィルムロール保持部と前記一端保持部との間の前記ラップフィルムからなる仕切シート部とを備える、パーティションユニット。
【請求項２】
前記ラップフィルムロール保持部が前記ラップフィルムを切り取る切取部を備える、請求項１記載のパーティションユニット。
【請求項３】
テーブル又は机の天板の上に設置して使用するものであり、
前記天板に固定する固定具をさらに備える、請求項１又は２記載のパーティションユニット。
【考案の詳細な説明】
【技術分野】
【０００１】
本考案は、空間を隔てるパーティションに関するものである。
【背景技術】
【０００２】
近年、ウィルスを含む飛沫の拡散を防止することを目的に、空間を隔てるパーティションを設置する機会が増えている。
【０００３】
パーティションには、挟着式の挟み部を有する支柱と、飛沫の拡散を防止するシート部とを備えるものがあり、このように構成されることにより、挟み部でデスク等の天板に挟着して容易に設置できる（特許文献１）。
【０００４】
また、感染症対策としては、使用者が入れ替わる度に、パーティションの表面から前使用者の飛沫を取り除き、清潔な状態にしておくことが望ましい。
【先行技術文献】
【特許文献】
【０００５】
【特許文献１】実用新案登録第３２３１８８３号公報
【考案の概要】
【考案が解決しようとする課題】
【０００６】
しかしながら、従来のパーティションでは、パーティションの表面を消毒用アルコールで拭くなどして清潔な状態にする必要があり、使用前後の作業負担が大きかった。
【０００７】
そこで、本考案は、パーティションの表面を容易に清潔な状態にすることができるパーティションユニットを提供することを目的とする。
【課題を解決するための手段】
【０００８】
本考案の第１の観点は、複数の使用者の間を空間的に仕切るパーティションユニットであり、ラップフィルムがロール状に巻かれているラップフィルムロールを保持するラップフィルムロール保持部と、前記ラップフィルムロールから引き出された前記ラップフィルムの一端を着脱可能に保持する一端保持部と、前記ラップフィルムロール保持部と前記一端保持部との間の前記ラップフィルムからなる仕切シート部とを備える、パーティションユニットである。
【０００９】
本考案の第２の観点は、第１の観点のパーティションユニットであって、前記ラップフィルムロール保持部が前記ラップフィルムを切り取る切取部を備える。
【００１０】
本考案の第３の観点は、第１又は第２の観点のパーティションユニットであって、テーブル又は机の天板の上に設置して使用するものであり、前記天板に固定する固定具をさらに備える。
【考案の効果】
【００１１】
本考案の各観点によれば、使用者の間を空間的に仕切る仕切シート部を両端から保持すると共に、少なくとも一端は仕切シート部が着脱可能に補助されている。このため、パーティションユニットを使用する度に、仕切シート部を容易に取り換え・使い捨てすることができ、パーティションの表面を容易に清潔な状態にすること可能になる。
【００１２】
本考案の第２の観点によれば、使用済みの仕切シート部のラップフィルムを容易に切り取ることが可能になる。このため、使用の度にパーティションの表面を清潔な状態とすることがさらに容易となる。
【００１３】
本考案の第３の観点によれば、テーブル又は机にパーティションユニットを設置できるため、レストランや会議室といった対面で話すことが想定される場面で本考案に係るパーティションユニットを使用することが容易となる。
【図面の簡単な説明】
【００１４】
【図１】本考案のパーティションユニットの断面図である。
【考案を実施するための形態】
【００１５】
以下、図を参照して本考案の実施形態について詳細に説明する。なお、本考案の実施の形態は、以下の記載に限定されるものではない。
【実施例１】
【００１６】
図１は、本考案のパーティションユニット１の断面図である。パーティションユニット１（本願請求項における「パーティションユニット」の一例）は、ラップフィルムロール保持部３（本願請求項における「ラップフィルムロール保持部」の一例）と、一端保持部５（本願請求項における「一端保持部」の一例）と、仕切シート部７（本願請求項における「仕切シート部」の一例）と、カッター部９（本願請求項における「切取部」の一例）と、第１支持部１１（本願請求項における「固定具」の一例）と、第２支持部１３（本願請求項における「固定具」の一例）とを備える。
【００１７】
ラップフィルムロール保持部３は、プラスチック製の筒状ケースであり、内部空洞にラップフィルムロール１５を保持するものである。また、ラップフィルムロール保持部３の内部空洞には、ステンレス製の軸棒が設けられている。図１に示すパーティションユニット１では、軸棒を筒状のラップフィルムロール１５の中に芯棒として通すことにより、ラップフィルムロールがテーブル（本願請求項における「テーブル」の一例）の天板１７に対して垂直になるように保持できる。ラップフィルムロール１５は、芯を中心にしてラップフィルムがロール状に巻かれているものである。ラップフィルムは、一般に、食品を包む用途で用いられる樹脂フィルムである。
【００１８】
一端保持部５は、ステンレス製の棒であり、ラップフィルムロール１５から図１に矢印Ａで示す水平方向に引き出されたラップフィルムの一端を巻き付けて着脱可能であるように保持するものである。
【００１９】
仕切シート部７は、空間を隔てる部分であり、ラップフィルムロール保持部３と一端保持部５との間にわたって設置されたラップフィルムからなる。仕切シート部７を構成するラップフィルムは、軽量で安価な素材であるため、容易に取り換え・使い捨てでき、衛生的である。また、透明な膜状素材であるため、仕切シート部によって隔てられた反対側への飛沫を遮りつつも、視界は遮られず、反対側の様子を目視することが可能である。
【００２０】
カッター部は、例えばラップフィルムロール保持部３の側面に設けられたプラスチック製の刃であり、ラップフィルムを切り取るものである。
【００２１】
第１支持部１１は、ラップフィルムロール保持部３をテーブルの天板１７に設置する部分であり、第２支持部１３は、一端保持部５を天板１７に設置する部分である。図１では、一例として、クランプ形状の第１支持部１１及び第２支持部１３を示している。第１支持部１１及び第２支持部１３は、天板１７を挟むようにネジ部を締めることにより、テーブルに固定することができる。
【００２２】
なお、本考案に係るパーティションユニットの各構成部材の材質は、上記した機能を提供できるのであれば、上記した以外の材質であってもよい。
【符号の説明】
【００２３】
１；パーティションユニット、３；ラップフィルムロール保持部、５；一端保持部、７；仕切シート部、９；カッター部、１１；第１支持部、１３；第２支持部、１５；ラップフィルムロール、１７；天板
【図１】
0003233750.tif 000003